【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
直立する一体成形した側壁を有さない一体成形した展示フロアであって、
（Ａ）対向する前端部および後端部と、
（Ｂ）側方に離間し縦方向に延びる複数のリブであって、隣り合う２つのリブの間に画定された縦方向のスロットを有し、前記前端部および前記後端部に接続され、製品を支持してその上を製品が摺動する第１のレベルにおいて前記展示フロアの上平面を画定する上面および前記第１のレベルの下の第２のレベルを画定する底面を有する複数のリブと、
（Ｃ）前記前端部および前記後端部に接続された一対の対向する側壁であって、前記第２のレベルの下の第３のレベルにおいて底面を有する側壁と、
（Ｄ）前記側壁間を横方向に延びると共に前記リブに交差および接続する、縦方向に離間した複数の梁であって、前記第１のレベルの下の第４のレベルにおいて上面を有すると共に、底面を有する梁と
を備え、
前記リブの前記側壁、前記リブの前壁及び後壁、及び前記リブの底面は最下部を画定し、該最下部で、前記リブの前記底面及び前記梁の底面は前記最下部の不連続な天井を画定する、展示フロア。
【請求項２】
製品が前記展示フロアから前方に移動するのを阻止するための、前記上平面の上側で延びる前リップを前記前端部に含む、請求項１に記載の展示フロア。
【請求項３】
前記前リップは、前記リブの底部から上方に延びる、請求項２に記載の展示フロア。
【請求項４】
前記縦方向の周辺支持体は、該支持体の前部に隣接して、基材の直立前縁部を受けるようになっている下方に開いた凹部を画定し、それにより、前記展示フロアは、前記基材の前記直立前縁部を越えて前方に延び、キャンディブロッカーとして働くことができる、請求項１に記載の展示フロア。
【請求項５】
前記後端部に、前記展示フロアの長さを延長するための長さ延長手段を備え、
前記側壁の少なくとも１つに、前記展示フロアの幅を延長するための幅延長手段を備える、請求項１に記載の展示フロア。
【請求項６】
展示トレイであって、
（Ａ）請求項１に記載の展示フロアと、
（Ｂ）側方に離間した少なくとも１対の、一体成形し、再配置可能である、前記上平面から直立した縦方向に延びる仕切りと、
を組み合わせて備え、
前記仕切りの前記隣接する対および前記トラックの該対間の部分は製品の移動経路を画定する展示トレイ。
【請求項７】
前記仕切りのそれぞれは、前記展示フロアへ解除可能に前記仕切りを受け入れるための隣接する１対のリブの一時的な側方変位、および隣接する前記リブのセグメントを通る下方への挿入のための、前記上平面の下かつ前記最下部内に配置される下方に延出する複数の半矢尻体を、該仕切りの底縁部の下に画定する、請求項６に記載の展示トレイ。
【請求項８】
前記半矢尻体は、前記底縁部の下に前記リブの高さだけ離間する、請求項７に記載の展示トレイ。
【請求項９】
交互に並ぶ前記半矢尻体はそれぞれ、側方において逆の方向に向いており、前記底縁部は、該交互に並ぶ半矢尻体の略独立した側方移動を可能にする上方に延びる複数のスリットを画定する、請求項８に記載の展示トレイ。
【請求項１０】
前記半矢尻体のそれぞれは、前記展示フロアから前記仕切りを上方への取外しを容易にする斜面を画定する上面を有する、請求項７に記載の展示トレイ。
【請求項１１】
前記仕切りの底縁部は、前記トレイ前部に、前記展示フロアに係合して、前記トレイ前部において前記展示フロアから前記仕切りが持ち上がるのを阻止する第１のフロア係合手段をさらに含む、請求項６に記載の展示トレイ。
【請求項１２】
前記フロア係合手段は前記展示フロアの前方部分の下に延出する要素を備える、請求項１１に記載の展示トレイ。
【請求項１３】
前記第１のフロア係合手段は、前記展示フロアの前記前端部の方向へと前方に延出するフィンガーを備える、請求項１１に記載の展示トレイ。
【請求項１４】
前記仕切りは、前記第１のフロア係合手段と同様のかつ該第１のフロア係合手段から後方へと縦方向に離間する第２のフロア係合手段をさらに含む、請求項１３に記載の展示トレイ。
【請求項１５】
前記仕切りのそれぞれは付勢要素をさらに備え、該付勢要素は前記展示フロアに係合して該仕切りを前方に押し、したがって前記第１の係合手段を、前記展示フロアと係合状態に留め、それにより前記仕切りが持ち上がるのを阻止するよう押す、請求項１１に記載の展示トレイ。
【請求項１６】
前記最下部は、前記展示フロアが該最下部の天井を形成するチャンバを画定し、前記横方向に延びる梁は該梁間に該最下部のサブチャンバを画定する、請求項６に記載の展示トレイ。
【請求項１７】
前記仕切りのそれぞれは、少なくとも１つの下方に延びるフロア係合手段をさらに備え、該フロア係合手段は、２つの隣接するリブ間において、着脱自在に前記展示フロアに係合するよう下方に延出可能である、請求項６に記載の展示トレイ。
【請求項１８】
前記幅延長手段により互いに並んだ関係で、請求項５に記載の第２の展示フロアに着脱自在に連結される請求項５に記載の第１の展示フロアのアセンブリであって、
前記幅延長手段のそれぞれは、
前記フロアの一方の側壁から横方向に延びる雄型要素と、
前記フロアの他方の前記最下部の所定部分として形成される雌型受け部と
を備えるアセンブリ。
【請求項１９】
互いに並んだ関係で着脱自在に連結される請求項２に記載の展示フロアの対であって、前記連結した展示フロアの組み合わせた横幅と略同じ長さと、前記前リップの高さより大きい高さとを有する横方向ストリップとして形成されるリップ延長材をさらに備え、該リップ延長材は、前記連結した展示フロアの前記リップの上に重なって該リップに着脱自在に連結され、それにより該展示フロア間の結合を固くするよう位置する展示フロアの対。
【請求項２０】
前記リップのそれぞれは上縁部および下縁部を含み、前記リップ延長材は、その後側に、前記上縁部および下縁部にそれぞれ係合する、横方向に延びかつ鉛直方向に離間した１対のフランジを有する、請求項１９に記載の展示フロアの対。
【請求項２１】
前記リブは、略三角形の断面を備え、各三角形の頂点は上方に向き、三角形の底辺は前記最下部の天井の部分を形成する、請求項１に記載の展示フロア。
【請求項２２】
前記リブのそれぞれは、前記三角形の一部が前記横方向に延びる梁のそれぞれの上部の上に延びるように該横方向に延びる梁と交差すると共に接続する、請求項２１に記載の展示フロア。
【請求項２３】
前記三角形のそれぞれは、該三角形の高さの約半分だけ、前記横方向に延びる梁の上に延びる、請求項２２に記載の展示フロア。
【請求項２４】
傾斜したゴンドラ棚上に位置決め可能な請求項１に記載の展示フロアであって、前記展示フロアを前記ゴンドラ棚に着脱自在に連結する後方取付け手段を後端部にさらに備える展示フロア。
【請求項２５】
前記後方取付け手段は、前記展示フロアと前記ゴンドラとに連結されるピンを備える、請求項２４に記載の展示フロア。
【請求項２６】
前記梁は、前記第２のレベルの下かつ前記第３のレベルの上の第５のレベルにおいて、底面を有する、請求項１に記載の展示フロア。
【請求項２７】
前記最下部のチャンバのそれぞれは、前記展示フロアのほぼ全幅にわたって横方向に延びる、請求項１に記載の展示フロア。
【請求項２８】
前記梁の前記底面は、前記第３のレベルに位置する、請求項１に記載の展示フロア。
【請求項２９】
前記リブのそれぞれは、前記底面の面積よりも小さい面積の前記上面を有する、請求項１に記載の展示フロア。
【請求項３０】
前記リブは、断面が略三角形であり、
前記三角形は、１つの角が前記上面に位置する向きになっている、請求項２９に記載の展示フロア。
【請求項３１】
請求項１に記載の展示フロアと少なくとも２つの縦方向に延びる仕切りとの組み合わせであって、
前記仕切りはそれぞれ、下縁部を有したパネルを備え、
前記仕切りは前記展示フロアと直立方向に取り付け可能であると共に取り外し可能であり、前記仕切が前記展示フロアに取り付けられたときに、前記仕切りは互いに横方向に離間すると共に前記展示フロアの前記上面上の前記製品の移動経路を前記仕切り間に画定し、
前記仕切りはそれぞれ、前記パネルの下縁部に第１の連結手段をさらに備え、
前記展示フロアは、複数の第２の連結手段をさらに備え、
前記第２の連結手段のそれぞれは、前記第１の連結手段を受け入れて、係合すると共に仕切を前記展示フロアから取り外すのを解除可能に制限する、組み合わせ。
【請求項３２】
前記第１の連結手段と前記第２の連結手段とは、係合したときに、前記仕切りが前記展示フロアの前または後の縦方向に移動するのを防ぐ、請求項３１に記載の組み合わせ。
【請求項３３】
前記第２の連結手段は、縦方向に延びる梁を備え、
前記第１の連結手段は、前記第２の連結手段の前記横方向に延びる梁の下で摺動可能な先端部分を備え、
前記先端部分が前記第２の連結手段の前記横方向に延びる梁の下にある間、前記仕切りは前記展示フロアから上向きに移動するのを防止される、請求項３１に記載の組み合わせ。
【請求項３４】
前記仕切りは、第１の弛んだ位置と第２の撓んだ位置とを有するばねフィンガーを備え、
前記第１の弛んだ位置では、前記ばねフィンガーは、前記展示フロアに係合すると共に前記仕切りが縦方向に移動するのを防ぐことにより、前記第１の連結手段と前記第２の連結手段とが係合解除されるのを防ぎ、
前記第２の撓んだ位置では、前記ばねフィンガーは、前記展示フロアから取り外され、前記仕切りを縦方向に移動させ、前記第１の連結手段と前記第２の連結手段とを係合解除する、請求項３３に記載の組み合わせ。
【請求項３５】
前記ばねフィンガーは、前記仕切りの一体成形された部分であり、前記フィンガーを前記第１の弛んだ位置から前記第２の撓んだ位置まで移動するためにユーザーが引張り可能なトリガーを含む、請求項３４に記載の組み合わせ。
【請求項３６】
弛んだ状態の前記ばねフィンガーは、前記展示フロアに係合し、前記仕切りを前方向に弾性的に押す、請求項３５に記載の組み合わせ。
【請求項３７】
側方に離間し縦方向に延びる複数のリブからなると共に隣り合う２つのリブの間に画定された縦方向のスロットを有するフレームと、前記リブと交差すると共に接続する複数の横方向の梁とを含む展示フロアに、取り外し可能に取り付け可能な仕切りであって、
該仕切りは、
底縁部を有するほぼ平坦なパネルと、
前記底縁部上の第１の連結手段と
を備え、
前記仕切りは、
前記底縁部が前記スロットの１つの中に取り外し可能に位置して前記仕切りが垂直方向に向くと共に前記パネルが前記展示フロアから上向きに延びる第１の位置と、
前記パネルが前記第１の位置から縦方向に移動されると共に前記第１の連結手段が前記展示フロアの前記横方向の梁の１つに解除可能に連結される第２の位置と
を有し、
該連結は、前記仕切りが移動して前記第１の位置に戻るまで、前記展示フロアから前記仕切りが分離するのを防ぐ、仕切り。
【請求項３８】
前記パネルの前記底面から延びる保持手段をさらに備え、
前記保持手段は、
該保持手段が前記展示フロアに係合すると共に前記パネルが前記第２の位置から移動するのを前記保持手段が防止する第１の状態と、
前記保持手段はもはや前記仕切りが前記第２の位置から移動するのを防止しない第２の状態と
を有する、請求項３７に記載の仕切り。
【請求項３９】
前記保持手段はばね要素であり、
前記第１の状態および前記第２の状態は、前記ばね要素が弛んだ状態および撓んだ状態のそれぞれを含む、請求項３８に記載の仕切り。
【請求項４０】
前記保持手段は前記パネルの一体成形された部分であり、
引っ張られたときに、前記保持手段を前記弛んだ状態から前記撓んだ状態に移動するトリガーをさらに備えた、請求項３９に記載の仕切り。
【請求項４１】
前記トリガーは、前記弛んだ状態から前記撓んだ状態へほぼ上向きに移動可能である、請求項４０に記載の仕切り。
【請求項４２】
前記弛んだ状態は、前記展示フロアに係合すると共に前記パネルを前方向に押す、請求項３９に記載の仕切り。
【請求項４３】
前記リブは、互いに平行に位置すると共に前記展示フロアのほぼ全幅に延びる、請求項１に記載の展示フロア。
【請求項４４】
前記展示フロアのそれぞれの側面の最も外側のリブは、対向する側壁の上部を有する、請求項４３に記載の展示フロア。
【請求項４５】
隣接する２つのリブ間の横方向の距離はそれぞれほぼ等しい、請求項４３に記載の展示フロア。
【請求項４６】
前記リブは互いに平行であり、
前記仕切りのそれぞれの前記下縁部は、所定のほぼ均一な厚さを有し、
隣接する２つのリブ間の横方向の距離がそれぞれほぼ等しいと共に前記仕切りの前記下縁部の前記所定の厚さよりもやや大きいことにより、前記仕切りの前記下縁部を、前記展示フロアの前記仕切りの係合のために、前記隣り合うリブ間の中に容易に挿入させる、請求項３１に記載の組み合わせ。
【請求項４７】
前記対向する側壁のそれぞれに雄型幅延長手段および雌型幅延長手段をさらに備え、
前記展示フロアを、ある展示フロア上の前記雄型幅延長手段を同様の展示フロア上の雌型幅延長手段と連結することにより互いに並んだ関係で、前記同様の展示フロアに取り外し可能に取り付けることができる、請求項１に記載の展示フロア。
【請求項４８】
前記雌型幅延長手段はそれぞれ、前記最下部の内部に空間を画定する壁を備える、請求項４７に記載の展示フロア。
【請求項４９】
直立する一体成形した側壁を有さない一体成形した展示フロアと、少なくとも２つの縦方向に延びる仕切りとの組み合わせであって、
前記展示フロアは、
（Ａ）対向する前端部および後端部と、
（Ｂ）側方に離間し縦方向に延びる複数のリブであって、隣り合う２つのリブの間に画定された縦方向のスロットを有し、前記前端部および前記後端部に接続され、製品を支持してその上を製品が摺動する第１のレベルにおいて前記展示フロアの上平面を画定する上面および前記第１のレベルの下の第２のレベルを画定する底面を有する複数のリブと、
（Ｃ）前記前端部および前記後端部に接続された一対の対向する側壁であって、前記第２のレベルの下の第３のレベルにおいて底面を有する側壁と、
（Ｄ）前記側壁間を横方向に延びると共に前記リブに交差および接続する、縦方向に離間した複数の梁であって、前記第１のレベルの下の第４のレベルにおいて上面を有し、底面を有する梁と
を備え、
前記リブの前記側壁、前記リブの前壁及び後壁、及び前記リブの底面は最下部を画定し、該最下部で、前記リブの前記底面及び前記梁の底面は前記梁の不連続な天井を画定し、
前記仕切りはそれぞれ、下縁部を有したパネルを備え、
前記仕切りは前記展示フロアと直立方向に取り付け可能であると共に取り外し可能であり、前記仕切が前記展示フロアに取り付けられたときに、前記仕切りは互いに横方向に離間すると共に前記展示フロアの前記上面上の前記製品の移動経路を前記仕切り間に画定し、
前記仕切りはそれぞれ、前記パネルの下縁部に第１の連結手段をさらに備え、
前記展示フロアは、複数の第２の連結手段をさらに備え、
前記第２の連結手段のそれぞれは、前記第１の連結手段を受け入れて、係合すると共に仕切を前記展示フロアから取り外すのを解除可能に制限し、
前記仕切りは、第１の弛んだ位置と第２の撓んだ位置とを有するばねフィンガーを備え、
前記第１の弛んだ位置では、前記ばねフィンガーは、前記展示フロアに係合すると共に前記仕切りが縦方向に移動するのを防ぐことにより、前記第１の連結手段と前記第２の連結手段とが係合解除されるのを防ぎ、
前記第２の撓んだ位置では、前記ばねフィンガーは、前記展示フロアから取り外され、前記仕切りを縦方向に移動させ、前記第１の連結手段と前記第２の連結手段とを係合解除し、
前記ばねフィンガーは、前記仕切りの一体成形された部分であり、前記フィンガーを前記第１の弛んだ位置から前記第２の撓んだ位置まで移動するためにユーザーが引張り可能なトリガーを含む、組み合わせ。
【手続補正２】
【補正対象書類名】明細書
【補正対象項目名】００６２
【補正方法】変更
【補正の内容】
【００６２】
図１５および図１５Ａに見られるような各展示トラックユニットは、縦方向に延びる複数の製品支持手段またはリブ９２から形成され、これらは、縦方向に延びる左側周辺支持体９３および右側周辺支持体９４によって各周辺側部で結合されている。周辺側壁９３および９４の間に延び、かつ縦方向に延びるリブ９２のそれぞれに係合する、横方向に延びる複数の梁９５がある。この展示トラック全体は、好ましくは単一操作の射出成形手順により形成される。整列したリブ９２は、第１のレベルにおいて上平面に位置しトラックを画定する上面、すなわち製品支持表面を有し、この表面において、製品が位置し、矢印９６の方向に左側へと下方に（この製品の最前部へと）摺動する。
【手続補正３】
【補正対象書類名】明細書
【補正対象項目名】００６３
【補正方法】変更
【補正の内容】
【００６３】
図１５、図１５Ａ、図１６〜図１８、図２２〜図２４および図２６に見られるように、側壁９３および９４は縦リブ９２の底面９２Ｃの下方に延出しているため、最下部９２Ｂが形成され、リブの底面９２Ｃがこの最下部の天井を形成する。この最下部は、上記天井９２Ｃと、側壁９３、９４と、前端および後端壁７６Ｆ、７６Ｒによって結合されるチャンバである。見られるように、これらのトラックユニットは、直立した側壁を有さずに上部が略平坦であり、縦リブ９２の下に、トラックユニットに対する仕切り８２〜８５の固定的であるが着脱自在な連結および１つのトラックユニットに対する別のトラックユニットの固定的であるが着脱自在な連結のためのスペースを提供する最下部チャンバを画定する。１つの目的がキャビネット内の総鉛直高さを最大限に利用することであるため、最下部によって、全ての連結要件の場合に、各トラックユニットのふさがれていない上面、および各上面の下の深さが浅いスペースを提供することが可能となる。さらに後述するように、前から後の方向に離隔した横梁９５によってサブチャンバが提供される。このサブチャンバは、仕切りの連結要素の係合、および展示トラックユニットを横方向延長部として横方向におよび／または縦方向延長部として前から後の方向に継ぎ合わせるさらなる連結要素の係合に対処し、これを支持する。
図１５Ａおよび１５Ｂはさらに、（ａ）製品が摺動可能に支持されるトラックを画定する上平面Ｔ−Ｔに位置するリブ９２の上面９２Ｔと、（ｂ）最下部の天井を画定する底平面Ｕ−Ｕに位置するリブ９２の底面９２Ｕと、（ｃ）上平面Ｔ−Ｔの下の中間平面Ｖ−Ｖに位置する梁９５の上面９５Ｖとを示している。摺動する製品は、上面９２Ｔに接触することはできるが、上面９５Ｖには接触しない。
【手続補正４】
【補正対象書類名】明細書
【補正対象項目名】００６９
【補正方法】変更
【補正の内容】
【００６９】
図２２〜図２４にさらに示すように、仕切りが引き上げられて要素が２つの縦リブの間のロックされる位置から解除される際に、歯９９Ａの傾斜表面１０４により、この連結要素の下側部分１０５が外向きにカム状になり撓むことが可能となる。縦梁９２間のスペースＬは、１対のテーパ壁９２Ａおよび９２Ｂにより画定され、これらテーパ壁は、上部の幅広の開口から底部の小さい開口へとテーパ状になっている三角形状をともに形成する。表面９２Ａ、９２Ｂは、仕切り８２の下方部分または連結要素９８それぞれの表面９２Ｃおよび９２Ｄを受けかつ保持するよう寸法決定される。
【手続補正５】
【補正対象書類名】明細書
【補正対象項目名】００７６
【補正方法】変更
【補正の内容】
【００７６】
この実施形態では、ばね要素１３１は、図示のような弛んだ状態であるトリガー１３７として形成され、フィンガー１３２が横梁１３４から離れるように点線１３８で示す位置へと上方に可動であり、仕切りが後方に摺動することができる。このトリガーは切欠き部１３９により形成され、使用者による係合を容易にするためのフィンガー穴１３７Ａが残されている。
【手続補正６】
【補正対象書類名】明細書
【補正対象項目名】００８３
【補正方法】変更
【補正の内容】
【００８３】
図２７は、上記の展示トラックおよび仕切りのうち任意のものを有する「キャンディブロッカー」として使用することができるさらなる構造的機構を開示する。この構造は、横方向前方ワイヤ１５１の形状で上向きに突き出る要素を有するワイヤラックすなわち基材１５０として棚が形成されるゴンドラの場合に特に有益である。展示トラックユニット１５２は、上向きに延びる（下向きに開口する）凹部すなわちノッチ１５３および１５４を有する。新たな展示トラックは、その凹部１５３がラックの横方向ワイヤ１５１上に重なるまで下向きに位置決めされる。この係合により、展示トラックが適切に位置決めされ、展示トラックが前方または後方に動くのを防ぐ。複数のノッチ１５３、１５４によって、展示トラックが可能な限り前方に、キャビネット１５６の前扉１５５に向かって、点線１５８Ａ、１５８Ｂで示す位置へと動かされることができる。この前方位置において、展示トラックは、店員がキャンディバー等のための容器１５７を扉１５５の内側に設置できないほど十分に扉１５５に近い。このような容器が設置されている場合、容器は前扉から後方に及んでおり、展示トラック上にどんな製品があるかを小売顧客が見ることはできないであろう。かかる製品が、妨げられることまたは注意が逸らされることなく見られると、展示トラックにあるこれら販売製品にとって利益となることは明らかである。
【手続補正７】
【補正対象書類名】図面
【補正対象項目名】図１５Ｂ
【補正方法】変更
【補正の内容】
【図１５Ｂ】
2005521504.tif 000001
【手続補正８】
【補正対象書類名】図面
【補正対象項目名】図２３
【補正方法】変更
【補正の内容】
【図２３】
2005521504.tif 000002
【手続補正９】
【補正対象書類名】図面
【補正対象項目名】図２６
【補正方法】変更
【補正の内容】
【図２６】
2005521504.tif 000003
【手続補正１０】
【補正対象書類名】図面
【補正対象項目名】図２８
【補正方法】変更
【補正の内容】
【図２８】
2005521504.tif 000004